(57)【特許請求の範囲】
【請求項１】
所定の範囲内での通信のために設置される、有線ネットワークと、
前記所定の範囲内での通信のために設置される、無線ネットワークと、
前記有線ネットワークおよび前記無線ネットワークの両方に接続可能な、携帯端末とを、備えており、
前記携帯端末は、
前記有線ネットワークに接続できる位置を示す位置情報および前記無線ネットワークを利用した通信ができるエリアを示すエリア情報を、格納する記憶部と、
前記記憶部に格納されている前記位置情報および前記エリア情報に基づいて、前記有線ネットワークに接続できる位置および前記無線ネットワークを利用した通信ができるエリアを表示する、表示部とを、備えている、
ことを特徴とする通信システム。
【請求項２】
前記有線ネットワークは、
電力の送電も可能であり、
前記携帯端末は、
通信ケーブルを用いて、当該携帯端末を前記有線ネットワークに接続することにより、電力の供給を受ける、
ことを特徴とする請求項１に記載の通信システム。
【請求項３】
前記有線ネットワークおよび前記無線ネットワークに接続され、前記位置情報および前記エリア情報を格納できる管理端末を、さらに備えており、
前記有線ネットワークまたは前記無線ネットワークに接続したとき、前記携帯端末は、
（Ａ）当該携帯端末に格納されている前記位置情報および前記エリア情報が、前記管理端末に格納されている前記位置情報および前記エリア情報よりも、古いデータであるか否かを判断し、
（Ｂ）前記（Ａ）において古いデータであると判断したとき、当該携帯端末に格納されている前記位置情報および前記エリア情報を、前記管理端末に格納されている前記位置情報および前記エリア情報に書き換える、
ことを特徴とする請求項１または請求項２に記載の通信システム。
【請求項４】
前記携帯端末は、
前記所定の範囲を、複数の小区分に分割されて管理しており、
前記表示部は、
前記小区分に属する、前記有線ネットワークに接続できる位置および前記無線ネットワークを利用した通信ができるエリアを、表示する、
ことを特徴とする請求項１乃至請求項３の何れかに記載の通信システム。
【請求項５】
前記表示部は、
前記有線ネットワークに接続できる位置および前記無線ネットワークを利用した通信ができるエリアの何れか一方を、選択可能に表示する、
ことを特徴とする請求項１乃至請求項４の何れかに記載の通信システム。
【請求項６】
前記携帯端末は、
通話が可能な携帯電話である、
ことを特徴とする請求項１乃至請求項５の何れかに記載の通信システム。
【請求項７】
前記有線ネットワークは、
有線ＬＡＮであり、
前記無線ネットワークは、
無線ＬＡＮであり、
前記携帯端末は、
ＩＰ携帯電話である、
ことを特徴とする請求項６に記載の通信システム。
【発明の詳細な説明】
【技術分野】
【０００１】
本発明は、通信システムに係る発明であり、特に閉じられた通信範囲における通信システムに関する。
【背景技術】
【０００２】
携帯電話装置に対して良好な通信状態を確保できる地域を通知する技術が、既に存在する（例えば、特許文献１参照）。当該特許文献１に係る技術では、携帯電話装置とは別に制御装置が設置されている。そして、当該制御装置が携帯電話装置の位置とその位置における通信環境とを検知している。当該検知の結果、制御装置は、無線ＬＡＮを使用する上で良好な通信状態を確保できる地域を、携帯電話装置に対して通知する。
【０００３】
また、上記とは別に、携帯電話装置に対する電源供給に関する技術として、例えば、特許文献２が存在する。当該特許文献２に係る技術では、中継装置（クレードル）に携帯電話装置を載置することにより、データ通信を行ないながら、充電等のための電源供給を受けることができる。
【先行技術文献】
【特許文献】
【０００４】
【特許文献１】特開２００５−０３３７０７号公報
【特許文献２】特開２００４−３０４７２０号公報
【発明の概要】
【発明が解決しようとする課題】
【０００５】
しかしながら、特許文献１に開示されている技術では、制御装置が携帯電話装置の位置とその位置における通信環境とを検知する必要がある。しかしながら、無線電波の届く範囲が限られており、制御装置と携帯電話装置との無線通信が不可能となる領域がある場合には、制御装置が携帯電話装置の位置を把握できない。これにより、制御装置は、良好な通信状態を確保できる範囲を、携帯電話装置に通知できない。つまり、特許文献１に関する技術では、携帯電話装置のユーザは、良好な通信状態を確保できる範囲を、認識できないことも想定される。
【０００６】
また、特許文献１に係る技術では、携帯電話装置が有線ＬＡＮ接続が可能である場合に、当該携帯電話装置を有線ＬＡＮに接続できる場所を、ユーザは認識することができなかった。
【０００７】
他方、特許文献２に開示されている技術では、携帯電話に対する充電（電源供給）に際して、別途、中継装置（クレードル）を用いる必要がある。したがって、当該クレードルの持ち運びは不便であり、また当該クレードルに携帯電話が載置されている状態で、当該携帯電話を利用した通話が困難である、などの問題があった。
【０００８】
そこで、本発明は、携帯端末を利用するユーザが常に、自分が所持する携帯端末の通信可能範囲および通信可能ポイントを把握できる通信システムを提供することを目的とする。さらには、当該携帯端末の電源供給（充電を含む）を簡便に行うことができる通信システムを提供することも目的とする。
【課題を解決するための手段】
【０００９】
上記の目的を達成するために、本発明に係る通信システムは、所定の範囲内での通信のために設置される、有線ネットワークと、前記所定の範囲内での通信のために設置される、無線ネットワークと、前記有線ネットワークおよび前記無線ネットワークの両方に接続可能な、携帯端末とを、備えており、前記携帯端末は、前記有線ネットワークに接続できる位置を示す位置情報および前記無線ネットワークを利用した通信ができるエリアを示すエリア情報を、格納する記憶部と、前記記憶部に格納されている前記位置情報および前記エリア情報に基づいて、前記有線ネットワークに接続できる位置および前記無線ネットワークを利用した通信ができるエリアを表示する、表示部とを、備えている。
【発明の効果】
【００１０】
本発明に係る通信システムは、所定の範囲内での通信のために設置される、有線ネットワークと、前記所定の範囲内での通信のために設置される、無線ネットワークと、前記有線ネットワークおよび前記無線ネットワークの両方に接続可能な、携帯端末とを、備えており、前記携帯端末は、前記有線ネットワークに接続できる位置を示す位置情報および前記無線ネットワークを利用した通信ができるエリアを示すエリア情報を、格納する記憶部と、前記記憶部に格納されている前記位置情報および前記エリア情報に基づいて、前記有線ネットワークに接続できる位置および前記無線ネットワークを利用した通信ができるエリアを表示する、表示部とを、備えている。
【００１１】
したがって、携帯端末が所定の範囲のどのような場所に存在しても（つまり、携帯端末の通信不可能領域においても）、常に、有線ネットワークに接続できる位置および無線ネットワークを利用した通信ができるエリアを、表示させることができる。つまり、携帯端末のユーザは、所定の範囲の如何なる場所においても常に、有線ネットワークの接続位置および無線ネットワークの接続可能エリアを、容易に認識することができる。
【図面の簡単な説明】
【００１２】
【図１】実施の形態１に係る通信システム１００の構成を示す図である。
【図２】通信システム１００において、携帯端末１を有線ＬＡＮ３に接続する様子を示す図である。
【図３】通信システム１００において、携帯端末１を無線ＬＡＮ５に接続する様子を示す図である。
【図４】携帯端末１の外観構成を示す斜視図である。
【図５】携帯端末１の内部構成を示すブロック図である。
【図６】携帯端末１の表示画面１１に表示される画像を示す図である。
【図７】実施の形態２に係る通信システム２００の構成を示す図である。
【発明を実施するための形態】
【００１３】
本発明は、閉じられた範囲（つまり、通信範囲が限られている）の通信ネットワークに携帯端末を接続し、当該携帯端末を利用した通信および通話を行う通信システムに関するものである。換言すれば、本発明は、通信範囲が限定されている携帯端末を利用した、通信システムに関する発明である。以下、この発明をその実施の形態を示す図面に基づいて、具体的に説明する。
【００１４】
＜実施の形態１＞
図１は、本実施の形態１に係る通信システム１００の概略構成を示す図である。
【００１５】
図１に示すように、閉じられた範囲（通信範囲が限定されている範囲であり、所定の範囲と把握できる）５０内に、通信システム１００が配設されている。ここで、閉じられた範囲５０としては、ビル内や工場内や船舶内などが想定される。以下、当該閉じられた範囲５０は、船舶における船内５０として話を進める。
【００１６】
通信システム１００は、複数の携帯端末１およびＬＡＮ（Ｌｏｃａｌ  Ａｒｅａ  Ｎｅｔｗｏｒｋ）などの通信ネットワーク２（以下、船内ＬＡＮ２と記す）により構成される。
【００１７】
船内ＬＡＮ２は、船内５０に設置され、当該船内５０における通信・通話のために使用される。携帯端末１は、有線ＬＡＮ（有線ネットワークと把握できる）３によって船内ＬＡＮ２に接続される（図２参照）。または、携帯端末１は、無線ＬＡＮ用アンテナ４を経由の無線ＬＡＮ（無線ネットワークと把握できる）５（図３参照）によって船内ＬＡＮ２に接続される。
【００１８】
携帯端末１が、有線ＬＡＮ３または無線ＬＡＮ５によって船内ＬＡＮ２に接続されることにより、閉じられた領域である船内５０において、当該船内ＬＡＮ２に接続される他の装置と、通話および通信を行うことができる。つまり、携帯端末１は、閉じられた領域である船内５０内において、他の装置と通信・通話を行うことができる。携帯端末１として、船内５０内で使用範囲が限定されたＩＰ携帯電話（より具体的には、舶用無線ＩＰ携帯電話）を採用できる。
【００１９】
図２に示すように、船内５０に存在する有線ＬＡＮ３において、複数の接続ポートＬおよびＨＵＢ６が、所定の場所に点在して設置されている。したがって、船内５０において、携帯端末１が有線ＬＡＮ３に接続できる箇所は、限定的である（つまり、接続ポートＬやＨＵＢ６が存在する箇所においてのみ、携帯端末１は有線ＬＡＮ３に接続することができる）。
【００２０】
携帯端末１には、有線ＬＡＮ通信機能が備えられており、有線ＬＡＮ接続部（図４の符号１５）が配設されている。図２に示すように、携帯端末１（より具体的には、有線ＬＡＮ接続部１５）と接続ポートＬ（または、ＨＵＢ６）とを、ＬＡＮケーブル（通信ケーブルと把握できる）９を用いて接続する。当該接続により、携帯端末１は、有線ＬＡＮ１を介して船内ＬＡＮ２に連接され、船内５０という限られた範囲内において、当該船内ＬＡＮ２に接続される他の装置との通信および通話が可能となる。
【００２１】
また、図３に示すように、船内５０に存在する無線ＬＡＮ５において、複数の無線ＬＡＮ用アンテナ４が、所定の場所に点在して設置されている。そして、各無線ＬＡＮ用アンテナ４に対して、通信可能領域７が規定される。したがって、船内５０において、携帯端末１が無線ＬＡＮ５に接続できる領域（範囲）は、限定的である（つまり、各通信可能領域７内に存在する携帯端末１のみが、無線ＬＡＮ５に接続することができる）。
【００２２】
携帯端末１には、無線ＬＡＮ通信機能が備えられており、無線アンテナ（図４の符号１２）が配設されている。図３に示すように、携帯端末１（より具体的には、無線アンテナ１２）と無線ＬＡＮ用アンテナ４とが、通信可能領域７内において無線ＬＡＮ５にて接続する。また、各無線ＬＡＮ用アンテナ４は、有線により、船内ＬＡＮ２と接続される。したがって、携帯端末１は、無線ＬＡＮ５を介して船内ＬＡＮ２に連接され、船内５０という限られた範囲内において、当該船内ＬＡＮ２に接続される他の装置との通信および通話が可能となる。
【００２３】
図４は、携帯端末１の外観構成を示す斜視図である。また、図５は、携帯端末１の内部機能構成を示すブロック図である。
【００２４】
図４に示すように、携帯端末１には、表示画面１１、無線アンテナ１２、操作部１３、通話部１４および有線ＬＡＮ接続部１５を有する。また、図５に示すように、携帯端末１内には、制御部２１、記憶部２２、表示部２３、有線ＬＡＮ部２４および無線ＬＡＮ部２５が配設されている。
【００２５】
表示画面１１には、図６に示すように、船内５０の全体図５１および船内５０の所望の部分の拡大図である拡大区分図５２が表示される。ここで、全体図５１は、船内５０の概略全体像を示すものであり、図６に示すように、当該全体図５１は、複数の小区分５１Ａにより分割されている。つまり、携帯端末１は、船内５０の全体図５１を、複数の小区分５１Ａに分割されて管理している。
【００２６】
たとえば、ユーザが、全体図５１における小区分５１Ａを任意に選択する。すると、当該選択された小区分５１Ａに対応する拡大図が、拡大区分図５２として表示画面１１に表示される。
【００２７】
当該拡大区分図５２には、船内５０における小区分５１Ａの見取り図と、当該見取り図上に表示される各表示情報とが、含まれる。当該各表示情報とは、当該小区分５１Ａに属する、有線ＬＡＮ３に接続できる位置と、当該小区分５１Ａに属する、無線ＬＡＮ５を利用した通信ができるエリアとである。
【００２８】
ここで、有線ＬＡＮ３に接続できる位置とは、接続ポートＬの位置およびＨＵＢ６の位置である。また、無線ＬＡＮ５を利用した通信ができるエリアとは、無線ＬＡＮ用アンテナ４を含む通信可能領域７である。
【００２９】
制御部２１は、携帯端末１内部の動作を制御・管理する。記憶部２２には、船内５０の見取り図情報、および、有線ＬＡＮ３に接続できる位置（接続ポートＬの位置およびＨＵＢ６位置）を示す位置情報、および、無線ＬＡＮ５を利用した通信ができるエリア（無線ＬＡＮ用アンテナ４の位置および通信可能領域７）を示すエリア情報が、予め格納されている。
【００３０】
表示部２３は、表示画面１１に、図６に例示するような画像を表示させる。つまり、表示部２３は、表示画面１１に、有線ＬＡＮ３に接続できる位置および無線ＬＡＮ５を利用した通信ができるエリアを表示する。
【００３１】
また、有線ＬＡＮ部２４は、有線ＬＡＮ接続部１５を介して、有線ＬＡＮ３との接続を実行する。また、無線ＬＡＮ部２５は、無線アンテナ１２を介して、無線ＬＡＮ５との接続を実行する。
【００３２】
なお、図４に示す操作部１３は、携帯端末１に対する操作の際に使用され、図４に示す通話部１４は、携帯端末１を用いた通話の際に使用される。
【００３３】
次に、本実施の形態に係る通信システム１００の動作について説明する。
【００３４】
船内５０に居るユーザは、所持している携帯端末１の操作部１３に対して、ＬＡＮ接続可能場所を表示させる操作を行う。ここで、携帯端末１には、最初に表示画面１１に表示させる小区分５１Ａが、デフォルトで設定されている。
【００３５】
そこで、制御部２１は、当該操作に起因して、記憶部２２から、全体図５１を表示させるための情報、および、当該デフォルト設定されている小区分５１Ａについての拡大区分図５２を表示させるための情報（当該情報には、当該小区分５１Ａの見取り図情報、有線ＬＡＮ３に接続できる位置を示す位置情報、無線ＬＡＮ５を利用した通信ができるエリアを示すエリア情報）を、読み出す。
【００３６】
そして、制御部２１は、読み出した各情報を、表示部２３に送信する。表示部２３では、受信した各情報を用いて、表示画面１１に図６に例示する画面（全体図５１および拡大区分図５２）を表示させる。これにより、図６に示すように、表示画面１１には、船内５０の全体図５１が、複数の小区分５１Ａにより分割された状態で表示される。また、デフォルト設定されている拡大区分図５２も、表示画面１１に表示される。
【００３７】
ここで、表示画面１１に表示されている拡大区分図５２の場所（小区分５１Ａ）は、全体図５１において、他の小区分５１Ａと区別可能に表示される。図６の例では、表示画面１１に表示されている拡大区分図５２の場所（小区分５１Ａ）は、全体図５１において、斜線が付された小区分５１Ａとして表示されている。
【００３８】
ここで、表示部画面１１に表示される拡大区分図５２には、上述したように、デフォルト設定されている小区分５１Ａの船内５０の見取り図、当該見取り図上に重ねて表示される、当該デフォルト設定されている小区分５１Ａに属する上記位置情報（つまり、接続ポートＬの位置やＨＵＢ６の位置）、および当該見取り図上に重ねて表示される、該デフォルト設定されている小区分５１Ａに属する上記エリア情報（つまり、無線ＬＡＮ用アンテナ４の位置および通信可能範囲７）が、含まれている。
【００３９】
つまり、表示部２３は、表示画面１１において、小区分５１Ａの見取り図と、有線ＬＡＮ３に接続できる場所と、無線ＬＡＮ５に接続できる場所とを、ユーザが視認できるように表示される。
【００４０】
次に、ユーザは、携帯端末１の操作部１３を操作して、自分が居る船内５０の場所を、全体図５１において指定する。当該指定は、全体図５１において、所望の小区分５１Ａを選択することにより、実行される。ここで、全小区分５１Ａの内の何れかの小区分５１Ａを選択する操作は、いつでも実行できる。また、選択される小区分５１Ａは、ユーザの希望に応じて任意である。
【００４１】
さて、上記小区分５１Ａの選択の操作を受けて、制御部２１は、当該操作に起因して、記憶部２２から、ユーザが選択した小区分５１Ａについての拡大区分図５２を表示させるための情報（当該情報には、当該小区分５１Ａの見取り図情報、有線ＬＡＮ３に接続できる位置を示す位置情報、無線ＬＡＮ５を利用した通信ができるエリアを示すエリア情報）を、読み出す。
【００４２】
そして、制御部２１は、読み出した各情報を、表示部２３に送信する。表示部２３では、受信した各情報を用いて、表示画面１１に、全体図５１に加えて、ユーザが選択した小区分５１Ａに関する拡大区分図５２を表示させる。
【００４３】
ここで、ユーザが選択された小区分５１Ａは、他の非選択の小区分５１Ａとの区別ができるように、表示画面１１に表示される。たとえば、今、表示画面１１に表示されている拡大区分図５２の場所（換言すれば、上記でユーザが選択した小区分５１Ａは、全体図５１において、斜線が付された小区分５１Ａとして表示されている。
【００４４】
ここで、上記ユーザの選択により、表示部画面１１に表示される拡大区分図５２には、上述したように、選択された小区分５１Ａの船内５０の見取り図、当該見取り図上に重ねて表示される、ユーザが選択した小区分５１Ａに属する上記位置情報（つまり、接続ポートＬの位置やＨＵＢ６の位置）、および当該見取り図上に重ねて表示される、ユーザが選択した小区分５１Ａに属する上記エリア情報（つまり、無線ＬＡＮ用アンテナ４の位置および通信可能範囲７）が、含まれている。
【００４５】
つまり、表示部２３は、表示画面１１において、選択された小区分５１Ａの見取り図と、当該選択された小区分５１Ａに属する有線ＬＡＮ３に接続できる場所と、当該選択された小区分５１Ａに属する無線ＬＡＮ５に接続できる場所とを、ユーザが視認できるように表示される。
【００４６】
なお、上記では、表示部２３により表示される拡大区分図５２には、上記位置情報（つまり、接続ポートＬの位置やＨＵＢ６の位置）および上記エリア情報（つまり、無線ＬＡＮ用アンテナ４の位置および通信可能範囲７）の両方が、含まれている。
【００４７】
しかしながら、ユーザが携帯端末１の操作部１３を操作することにより、表示部２３により表示される拡大区分図５２に、上記位置情報（つまり、接続ポートＬの位置やＨＵＢ６の位置）および上記エリア情報（つまり、無線ＬＡＮ用アンテナ４の位置および通信可能範囲７）の何れか一方のみを、含ませるようにしても良い。
【００４８】
また、ユーザが操作部１３を操作することにより、拡大区分図５２に位置情報のみを含ませて状態（つまり、表示画面１１に、見取り図と位置情報とを表示させている状態）から、拡大区分図５２にエリア情報のみを含ませる状態（つまり、表示画面１１に、見取り図とエリア情報とを表示させている状態）への切り替えることもできる（この逆の切り替えも当然可能である）。
【００４９】
つまり、表示部２３は、操作部１３に対する操作に応じて、有線ＬＡＮ３に接続できる位置および無線ＬＡＮ５を利用した通信ができるエリアの何れか一方を、選択可能に表示する。
【００５０】
さて、表示画面１１に、ユーザが選択した小区分５１Ａに対応する拡大区分図５２が表示されると、ユーザは、表示画面１１の表示内容から、携帯端末１が接続できる有線ＬＡＮ３の接続ポートＬの位置、ＨＵＢ６の位置を容易に認識できる。
【００５１】
そこで、ユーザは、たとえばユーザの近くの接続ポートＬの位置またはＨＵＢ６の位置まで移動する。そして、持参しているＬＡＮケーブル９を、所持している携帯端末１の有線ＬＡＮ接続部１５に接続すると共に、接続ポートＬまたはＨＵＢ６に接続する。そして、ユーザは、有線ＬＡＮ３を介して、船内ＬＡＮ２に接続される他の装置と、通信または通話を行う。なお、ユーザが既に、接続ポートＬの位置またはＨＵＢ６の位置の近くに居る場合には、当然移動する必要は無い。
【００５２】
また、表示画面１１に、ユーザが選択した小区分５１Ａに対応する拡大区分図５２が表示されると、ユーザは、表示画面１１の表示内容から、携帯端末１が接続できる無線ＬＡＮ５の接続エリア（つまり、無線ＬＡＮ用アンテナ４の位置および通信可能領域７）を容易に認識できる。
【００５３】
そこで、ユーザは、たとえば近くの通信可能領域７まで移動する。そして、ユーザは、無線ＬＡＮ用アンテナ４および無線ＬＡＮ５を介して、船内ＬＡＮ２に接続される他の装置と、通信または通話を行う。なお、ユーザが既に、通信可能領域７の範囲内に居る場合には、当然移動する必要は無い。
【００５４】
このように、携帯端末１は、有線ＬＡＮ３を利用した通信・通話および無線ＬＡＮ５を利用した通信・通話の両方が可能である（つまり、携帯端末１は、有線ＬＡＮ接続および無線ＬＡＮ接続を使い分かることができる）。したがって、ユーザは、有線ＬＡＮ３の使用または無線ＬＡＮ５の使用を切り替えることにより、携帯端末１を容易に船内ＬＡＮ２と接続することができる。
【００５５】
以上のように、本実施の形態に係る通信システム１００では、携帯端末１自身が、上記位置情報（つまり、接続ポートＬの位置やＨＵＢ６の地図）および上記エリア情報（つまり、無線ＬＡＮ用アンテナ４の位置および通信可能領域７）を保持している。そして、携帯端末１の表示部２３は、当該保持している各情報に基づいて、有線ＬＡＮ３に接続できる位置および無線ＬＡＮ５を利用した通信ができるエリアを、表示画面１１に表示させる。
【００５６】
したがって、携帯端末１が船内５０のどのような場所に存在しても（つまり、携帯端末１の通信不可能領域においても）、常に、表示画面１１に、有線ＬＡＮ３に接続できる位置および無線ＬＡＮ５を利用した通信ができるエリアを、表示させることができる。つまり、携帯端末１のユーザは、船内５０の如何なる場所においても常に、有線ＬＡＮ３の接続位置および無線ＬＡＮ５の接続可能エリアを、容易に認識することができる。
【００５７】
よって、本実施の形態に係る通信システム１００は、船内などにように、多くの区画に分かれて無線電波の届く範囲が限られており、有線ＬＡＮ３への接続ポイントが限定されているような場所においても、携帯端末１を用いた通信および通話ができない期間を、減少させることができる。
【００５８】
なお、携帯端末１が自機の位置を把握できる状態の場合には、携帯端末１は、自機の位置を拡大区分図５２に合わせて表示させても良い。また、当該場合には、最初に表示画面１１に表示させる拡大区分図５２を、デフォルト設定のものでなく、当該携帯端末１の現在位置を含む小区分５１Ａの拡大区分図５２としても良い。
【００５９】
＜実施の形態２＞
図７は、本実施の形態に係る通信システム２００の構成を示す図である。
【００６０】
図７に示すように、本実施の形態に係る通信システム２００では、通信システム１００の構成に、管理端末３５が新たに加わっている。当該管理端末３５が追加された以外は、通信システム２００の構成と、通信システム１００の構成とは、同じである。したがって、図７に示されている他の構成１〜４，Ｌなどは、実施の形態１で説明した内容と同じである。
【００６１】
図７に示す構成例では、管理端末３５は、有線ＬＡＮ３を介して、船内ＬＡＮ２に接続されている。なお、図７の構成と相違するが、管理端末３５は、無線ＬＡＮ用アンテナ４を利用して、無線ＬＡＮ５を介して、船内ＬＡＮ２に接続される構成であっても当然良い。
【００６２】
管理端末３５は、記憶部（図示せず）を備えており、当該記憶部に対して位置情報およびエリア情報の格納ができる。ここで、実施の形態１で説明したように、位置情報とは、船内５０の見取り図上における、有線ＬＡＮ３に接続できる位置（接続ポートＬの位置およびＨＵＢ６位置）を示す情報である。また、エリア情報とは、船内５０の見取り図上における、無線ＬＡＮ５を利用した通信ができるエリア（無線ＬＡＮ用アンテナ４の位置および通信可能領域７）を示す情報である。
【００６３】
ここで、管理端末３５の記憶部において、当該位置情報およびエリア情報の更新が可能であり、たとえば管理者は、ネットワークの変更があったとき、最新の位置情報およびエリア情報を当該記憶部に格納する。ここで、記憶部に格納（更新）される位置情報およびエリア情報には、当該記憶部において格納（更新）された日時等の情報も対応づけされている。
【００６４】
同様に、携帯端末１の記憶部２２においても、格納されている位置情報およびエリア情報には、当該位置情報およびエリア情報が格納（更新）された日時等の情報も対応づけされている。
【００６５】
次に、本実施の形態に係る通信システム２００の動作について説明する。
【００６６】
実施の形態１で説明した携帯端末１が、図７に示すように、ＬＡＮケーブル９を用いて、有線ＬＡＮ３に接続されたとする。なお、図７に例示する構成と異なるが、携帯端末１は、通信可能領域７内において無線ＬＡＮ用アンテナ４を介して、無線ＬＡＮ５に接続されたことを想定しても良い。つまり、携帯端末１が、有線ＬＡＮ３または無線ＬＡＮ５を介して、船内ＬＡＮ２に連接されたときを想定する。
【００６７】
このようなときには、携帯端末１の制御部２１は、記憶部２２に格納されている位置情報およびエリア情報が、管理端末３５の記憶部に格納されている位置情報およびエリア情報よりも、古いデータであるか否かを判断する。
【００６８】
具体的に、制御部２１は、携帯端末１の記憶部２２に格納されている、位置情報に対応付けされている日時情報およびエリア情報日時情報（これらを、第一の日付情報と称する）を参照する。また、当該制御部２１は、船内ＬＡＮ２を介して、管理端末３５の記憶部に格納されている、位置情報に対応付けされている日時情報およびエリア情報日時情報（これらを、第二の日付情報と称する）を参照する。そして、制御部２１は、第一の日付情報と第二の日付情報とを比較する。
【００６９】
当該比較の結果、制御部２１が、携帯端末１の記憶部２２に格納されている位置情報およびエリア情報において、管理端末３５の記憶部に格納されている位置情報およびエリア情報よりも古いデータが含まれていると判断したとする。当該判断の場合には、制御部２１は、携帯端末１の記憶部に格納されている位置情報およびエリア情報を、管理端末３５の記憶部に格納されている位置情報およびエリア情報に書き換える。
【００７０】
つまり、制御部２１は、船内ＬＡＮ２を介して、管理端末３５の記憶部に格納されている位置情報およびエリア情報を、取得する。そして、制御部２１は、記憶部２２に記憶されている位置情報およびエリア情報を、当該取得した位置情報およびエリア情報に書き改める。
【００７１】
以上のように、本実施の形態に係る通信システム２００では、通信端末１は、船内ＬＡＮ２接続されたとき、自機に記憶されている位置情報およびエリア情報が、管理端末３５に記憶されている位置情報およびエリア情報よりも古いか否かを判断している。そして、古いと判断したとき、通信端末１は、記憶部２２に対して、管理端末３５の記憶されている新しい方の位置情報およびエリア情報を上書きしている。
【００７２】
したがって、携帯端末１のユーザは、位置情報およびエリア情報の更新を気にすることなく、自動的に最新の位置情報およびエリア情報を取得できる。よって、携帯端末１は、常に最新の位置情報およびエリア情報を利用して、表示画面１１に拡大区分図５２を表示することができる。
【００７３】
＜実施の形態３＞
本実施の形態では、通信システム１００および通信システム２００において、有線ＬＡＮ３は、ＰｏＥ（Ｐｏｗｅｒ  ｏｖｅｒ  Ｅｔｈｅｒｎｅｔ（Ｅｔｈｅｒｎｅｔ：登録商標））に対応している。つまり、船内５０に配設された有線ネットワークは、通信データの送受信の媒体として機能するだけでなく、電力の送受電の媒体としても機能する。
【００７４】
図２に示すように、ユーザは、通信ケーブルであるＬＡＮケーブル９を用いて、携帯端末１と有線ＬＡＮ３の接続ポートＬとを接続する。ここで、当該ＬＡＮケーブル９は、データ線および電力供給線となるＵＴＰ（Ｕｎｓｈｉｅｌｄ  Ｔｗｉｓｔｅｄ  Ｐａｉｒ）ケーブルである。
【００７５】
このように、携帯端末１を、ＰｏＥ化された有線ＬＡＮ３に接続することにより、当該携帯端末１は、有線ＬＡＮ３を介した通信のみならず、電力の供給も受けることができる。
【００７６】
したがって、本実施の形態に係る発明を適用することにより、ユーザは、携帯端末１に対する電力供給（充電も含む）のために、別途クレードル等を持ち運ぶ必要が無い。つまり、通信の際に使用する部材は、持ち運びに便利なＬＡＮケーブル９のみである。よって、簡便に、携帯端末１は有線ＬＡＮ３を介して電力供給を受けることができる。
【００７７】
また、ＬＡＮケーブル９を有線ＬＡＮ３に接続するだけで、携帯端末１は、通信・通話および電力供給が可能となる。ここで、通信ケーブル９は、携帯端末１の使用の際に特に邪魔となる部材ではない。したがって、ＬＡＮケーブル９を利用して電源供給を受けている携帯端末１を、ユーザが通信・通話の際に使用したとしても、当該通信・通話の動作を容易に実施できる。
【符号の説明】
【００７８】
１  携帯端末
２  通信ネットワーク（船内ＬＡＮ）
３  有線ネットワーク（有線ＬＡＮ）
４  無線ＬＡＮ用アンテナ
５  無線ＬＡＮ
６  ＨＵＢ
７  通信可能領域
９  通信ケーブル（ＬＡＮケーブル）
１１  表示画面
１２  無線アンテナ
１３  操作部
１４  通話部
１５  有線ＬＡＮ接続部
２１  制御部
２２  記憶部
２３  表示部
２４  有線ＬＡＮ部
２５  無線ＬＡＮ部
３５  管理端末
５０  閉じられた範囲（船内）
５１  全体図
５１Ａ  小区分
５２  拡大区分図
１００，２００  通信システム
Ｌ  接続ポート
【図１】
0005492818.tif 000002
【図２】
0005492818.tif 000003
【図３】
0005492818.tif 000004
【図４】
0005492818.tif 000005
【図５】
0005492818.tif 000006
【図６】
0005492818.tif 000007
【図７】
0005492818.tif 000008